Podtech/llm-jp-corpus-v4-ja_patent huggingface dataset:
(57)【要約】      （修正有）【課題】従来はコンセントは稼動せず凹状になったコンセントにプラグを差し込むタイプはあったが可動式のコンセントはなく、プラグを収納庫の底まで押し込むだけで他の動力を必要とせず、電気の使用にあたってなんら差しつかえなく、壁面の美化、整理整頓の意味からでも壁面の掃除にも便利な、しかもトラッキングそのほか安全面に配慮する壁コンセントを提供する。【解決手段】コンセント５にプラグを差し込み、さらに押し込むことにより、収納庫にプラグは収まり、プラグが壁面に露出しないことを特徴とする。【選択図】図３
2011243547.tif 000002
【特許請求の範囲】
【請求項１】
プラグを収納できる壁コンセント
【発明の詳細な説明】
【技術分野】
【０００１】この発明はコンセントがコンセントボックス内に沈み込み、差し込んだプラグがコンセントボックス内部に収納されるように考案されたコンセントに関するものである。
【技術背景】
【０００２】従来プラグは壁コンセントに差し込み、壁の面から突起していた、また従来はコンセントが壁の中に沈み込むような可動式の壁コンセントはなかった。
【発明の開示】
【発明が解決しようとする課題】
【０００３】これは次のような問題点があった。
コンセントは差したり抜いたりするのに便利性を主たる目的性としているからである。
しかし、長年差したり抜いたりせず、差し込んだままのプラグがどこの住宅や会社、また、あらゆる電気器具などを使用する施設等において見受けられる。それらのプラグは長い期間、３ヶ月、１年、３年、５年、１０年、２０年、それ以上の間、コンセントを差し込んだままであったり、コンセント取り付け位置の環境もさまざまである。中には劣悪な環境もあり、たびたび問題になっている。例えば、家庭では台所、キッチン等で油だらけのプラグを見ることもしばしば。工場内での埃だらけ、油だらけのプラグを見ることもある。つまり危険である漏電をはじめ、布くず紙薄こり等がプラグに付着した原因の火災、子供達がコードを引いたりプラグを弄る事による感電等、問題点が多い。さらに、二又三又等のコンセントを使用したたこ足配線は、発熱、発火の原因になる。本発明のコンセントは構造上収納庫が狭く浅いので通常のプラグしか使用できず、それらを防止する器具としても有効である。
本発明は、以上の様な欠点をなくすためになされたものである。
【課題を解決するための手段】
【０００４】壁コンセントの中にプラグを収納出来るスペースを設け、且つ火災、漏電、感電等を防ぎ、同時にコンセント全体を覆うキャップや蓋、扉等を取り付ける。
以上のような構成になる、プラグ収納壁コンセントである。
【発明の効果】
【０００５】ながらくコンセントに差し込んでいても心配がなく、子供がいたずらしにくい。
火災の原因であるトラッキング減少防止効果。
プラグをコンセント内部に差し込むため、見た目にも壁面が美的である。
【発明を実施するための最良の形態】
【０００６】以下、本発明の実施例について説明する図２のコンセント差し込み口１に、２プラグを差し込み、そのプラグ２をさらに強く押し、コンセント内に設けたプラグ収納底まで押し込む。露出したコードを図４のキャップで閉じればいい。
【図面の簡単な説明】
【０００７】
【図１】本発明の斜視図である。
【図２】本発明の斜視図である。
【図３】本発明の斜視図である。
【図４】本発明の斜視図である。
【符号の説明】
【０００８】１  コンセント
２  プラグ収納庫
３  プラグ
４  コンセント
５  通常の位置のコンセント
６  押し込まれたコンセント
７  コンセント全体を覆うキャップ、蓋、扉
【図１】
2011243547.tif 000003
【図２】
2011243547.tif 000004
【図３】
2011243547.tif 000005
【図４】
2011243547.tif 000006
(57)【要約】【課題】様々な施設に於いて、照明を得る方法に蛍光灯器具が使用されてきた。直管形ランプに対応させたＬＥＤランプの本発明は、その特性を活用し低消費電力、高照度、高演色及び長寿命を有効に生かしている。ＬＥＤランプシステムの長寿命を図る電気回路を構築し、光の諸特性を透明アクリル丸棒レンズを用いて可能にした。【解決手段】簡便なランプ交換のみで、省エネルギーの大幅な低減と、長寿命による経済効果は大きい。総合的に環境保全に有効である。【選択図】図１
2011243548.tif 000002
【特許請求の範囲】
【請求項１】
高周波点灯式蛍光管の電子式安定器を使用した器具のソケット部を利用してＬＥＤランプを点灯させる接続システム。
【請求項２】
電子式安定器の出力を（２）平滑変換して、ＬＥＤランプの点灯を可能したＬＥＤユニット一体形の回路システム。
【請求項３】
安定器２次側の高周波を滑らかにするため、ダイオードをブリッジ回路で構成した（３）整流制御部。
【請求項４】
ＬＥＤの出力と発熱を制御するために、電圧レギュレータと抵抗を組合わせた（４）電圧制御部。
【請求項５】
ＬＥＤの出力抑制に伴う、照度を補う手段として発光表面に透明アクリル製の丸棒レンズ（７）を装着させた光増幅と拡散の機能。
【請求項６】
請求項１から５の機能を一体化してランプ内に収納したＬＥＤシステムランプ。
【請求項７】
直管型蛍光灯の３０、４０、１１０Ｗに対応を可能にした回路機能。
【発明の詳細な説明】
【発明の詳細な説明】
【技術分野】
【０００１】本発明は、日常的に使用されている直管型蛍光ランプに変わり、必要照度を保持し消費電力の低減を図る発光イオードを使用したＬＥＤシステムランプである。
【背景技術】
【０００２】本装置に用いた回路のシステムは見当たらない。
【発明の概要】
【発明が解決しようとする課題】
【０００３】一般的に使用されている蛍光ランプは、消費電力と照度及び寿命等を捉えても、経済的環境保全の面於いても、必ずしも良好とは言えない。ＬＥＤの特性を生かし、その機能を有効に活用する手段として、蛍光形ランプの形状と合致させ、ＬＥＤランプの交換のみを行うことで、省力化も含め省エネルギー効果が得られ、環境保全に有利である。
【問題を解決するための手段】
【０００４】上記の目的を達成させるために、比較的多く使用されている多種類の高周波点灯式器具に使用が可能な、互換性のある機能が重要となる。
【０００５】発光ダイオードを点灯させる手段として、高周波点灯式蛍光管の電子式安定器２次側の電源を使用する。発生する電圧はランプを固定するソケット（１）に印加される。
このため高周波の平滑が必要である。ブリッジ回路に組合せたダイオードＤ１〜Ｄ１２が平滑化を有利にする。これらは平滑変換回路（２）に位置する。
【０００６】安定器２次側の電圧波形は高周波により、複合尖頭波形のため波形修正が必要となる。
【０００７】ソケット（１）から送られた波形は、ダイオードで平滑される。均一な波形を得るためにダイオードをブリッジ形に接続する。高周波形に含まれる尖頭部も抑制され平坦な波形と成る、両端のダイオオードＤ１〜Ｄ１２により波形制御がなされているため、次の整流にも効果が得られる。これは平滑回路（２）に位置する。
【０００８】平滑された波形は、更に抵抗Ｒ７とコンデンサーＣ１により整流され直流電圧波形に近似しＬＥＤ点灯時のチラツキ防止に有効となる。これは整流回路（３）に位置する。
【０００９】修正された電圧はＬＥＤユニット（５）に供給される。ＬＥＤ単体の順電圧及び許容電力許容温度の制限が不可欠であり、放熱用にアルミフィン台座（１０）を使用した。
【発明の効果】
【００１０】ＬＥＤを発光させるための基本として、単体の順電圧、電流及び許容電力、温度の特性を遵守させなければならない。許容量に余力を持たせるため特性機能の制御が重要となる。このため光度の低下が発生する。これを補う手段として、透明アクリル丸棒レンズ（７）をＬＥＤの発光面に装着させる。光の増幅と拡散に充分な効果が得られた。
【００１１】必要照度を得るための光源として、ＬＥＤは不可欠な存在である。対象を蛍光灯に置くと特に直管形の蛍光ランプは出力に応じて種類も豊富である、これらのランプに対応可能な本発明はエネルギーを管理する上でも効果は大きく、環境保全に役立つものと考える。
【図面の簡単な説明】
【図１】基本回路図である
【図２】ＬＥＤランプの立面図である
【図３】ＬＥＤランプ断面図である
【発明を実施するための形態】
【００１２】ソケット（１）部は安定器の２次側電圧が印加されるため、様々な尖頭波が含まれているダイオードＤ１〜Ｄ１２で充分に平滑波形のを行い、総合的に発熱量を抑制させた。
【００１３】電圧制御回路（４）の電圧レギュレータと組合せる抵抗Ｒ１〜Ｒ７の値を選択することにより発熱の抑制が可能となり、ダイオードの寿命の延長が得られる。
【００１４】さらに、流用する蛍光灯器具に使用されている、安定器の特性との整合を得るために抵抗Ｒ１〜Ｒ７の値を選択し、必要とされる電圧をダイオードユニット（５）に供給する。
【００１５】使用されている直管形蛍光ランプは、その出力に応じて総長が異なる。ＬＥＤランプの必要なユニット数を決定し、規格長に整合させ、出力の値を調整する。
【００１６】ＬＥＤは長寿命と表記されているが、あくまでＬＥＤ単体でありこれを機能させる電気的な付帯回路を含んだ総合寿命が課題である。本発明は各々の回路を担う素子の許容能力に充分な余裕を持たせるため出力の抑制を図っている。必要な照度を得る手法として光の増幅と拡散を、透明アクリル製丸棒レンズ（７）を付加させることで解決した。
【実施例】
【００１７】図１は本発明の基本回路の概容を示すものである。
【産業上の利用可能性】
【００１８】日常的に、利用されている蛍光灯器具に使用しているランプのみをＬＥＤランプに簡便に交換する事により、環境照度を大幅に改善し、電力消費の著しい低減が可能である。
利用施設は多大であり、総合的な省エネルギー効果と環境保全に大きく寄与できる。
【符号の説明】
【００１９】（１）    ソケット
（２）    平滑回路
（３）    整流回路
（４）    電圧制御回路
（５）    ＬＥＤユニット
（６）    コイル（フィラメント）
（７）    電圧レギュレータ
（８）    接続コネクター
（９）    ソケットカバー
（１０）  丸棒レンズ（透明アクリル製）
（１１）  ＬＥＤチップ
（１２）  ＬＥＤ基板
（１３）  放熱フィン台座（アルミ製）
（１４）  側面透明アクリル板
【図１】
2011243548.tif 000003
【図２】
2011243548.tif 000004
【図３】
2011243548.tif 000005
(57)【要約】【課題】  そろばんを使用して計算する際に、木目の入った机の上や，文字や数字のたくさん書いてあるテキストの上等、その上に載せたそろばんの珠の配置が読み取りにくい環境でも，それが見やすくなるように，余計な視覚情報が目に入らないようにしたそろばんを提供する。【解決手段】  そろばんの下の机などの模様や、テキストの文字などが、読み取るべき珠の周囲から見えないように、そろばんの珠の色とは明度や彩度を変えたつや消しの素材で出来た無地色の底板を設けた、つや消し無地色底板付きそろばんを特徴とする。【選択図】図１
2011243214.tif 000002
【特許請求の範囲】
【請求項１】
そろばんの底に、珠（２）の色と明らかに違って目立たない無地色の底板（１）をつけた、無地色底板付きそろばん。
【請求項２】
そろばんの底に、取り外し可能な底板をつけた底板付そろばん。
【請求項３】
そろばんの底に、照明などの光線の照り返しが無い、表面がつや消しの素材で作られた底板を貼り付けたつや消し底板付きそろばん。
【発明の詳細な説明】
【技術分野】
【０００１】  この発明は、そろばんの底の下にある邪魔なものが見えないよう、つや消しで無地の底板をつけたつや消し無地色底板付きそろばんに関するものである。
【背景技術】
【０００２】  従来，そろばんの底には、何もついてなかった。
【発明の概要】
【発明が解決しようとする課題】
【０００４】  これは、次のような欠点があった。
従来のそろばんは、底に何もついていないせいで、机の上や、帳簿の上に置いて使う際に、下に木目や、文字等の、そろばんの珠の位置を見る際に邪魔になる紛らわしい視覚情報が目に入ってしまい、珠の配置を読み損ない、計算間違いをすることがあった。
机の上で，珠と木が同系色の場合等は、擬態した昆虫のように珠がよく見えないこともあり、やりにくかった。
本発明は、以上のような欠点をなくすためになされたものである。
【課題を解決するための手段】
【０００５】  そろばんの底に、珠の位置が見やすいように、照明などの光の反射を抑えたつや消しの表面で、珠の色の明度や彩度が違う色の無地の板をつける。
本発明は、以上の構成からなるつや消し無地色底板付きそろばんである。
【発明の効果】
【０００６】  そろばんの珠が明るい色ならば暗い色、珠が暗い色ならば明るい色の底板というように、明度や彩度などが違う色同士の組み合わせで、読み取るそろばんの珠が、無地でつや消しの底板の上で、くっきりと浮かび上がるようになり、その配置が読み取りやすくなった。
表面がつや消しの底板からは、照明などの光線の照り返しが目に入らず、珠が見やすくなった。
無地の色の板で蓋をしてあるおかげで、普通のそろばんの珠のまわりに見える木目や文字などの余計な視覚情報が目に入らないので，弾いた珠の配置の表す数値の読み取り違いが少なくなった。
【図面の簡単な説明】
【０００７】
【図１】  本発明の平面図である。
【発明を実施するための形態】
【０００８】  以下，本発明を実施するための形態について説明する。
九分どおり出来上がったそろばんの底に、そろばんの珠の色と、明度、彩度などを変えた、つや消しで照り返しの無い素材で出来た、無地色の底板を貼り付ける。
使う際は、通常通りで差し支えなく，時折逆さにして内部にたまったホコリやゴミなどを出せばよい。
また底板を、枠の裏にネジ穴をあけて、ビスなどでとめる等して、取り外し可能な形にしておけば，清掃もしやすくなる。
【符号の説明】
【０００９】  １  底板
２  珠
【図１】
2011243214.tif 000003
(57)【要約】      （修正有）【課題】処理速度を一層速めることのできる高速近似バイラテラルフィルター、FABLフィルター、を提供する。【解決手段】バイラテラルフィルターの複数のフィルターが切り離され複数の線型フィルターリング演算に形成される。バイラテラルフィルターは近似バイラテラルフィルターとして表され、対数が課せられた上もたらされた成分にはさらに一連のイェンセン近似に課せられる。次に累積エラーは結果に悪影響を与えることなく無視できることが示される。【選択図】図１
2011170852.tif 000002
【特許請求の範囲】
【請求項１】
2011170852.tif 000012
【請求項２】
2011170852.tif 000013
【請求項３】
2011170852.tif 000014
【請求項４】
イェンセンの不等式変換の適用からもたらされる補正項のすべては無視される、すなわ
ち切り捨てられる、請求項１に記載のバイラテラルフィルターを実施する方法。
【請求項５】
2011170852.tif 000015
【請求項６】
2011170852.tif 000016
【請求項７】
前記近傍は上、下、左、および右の各方向に10ピクセルである請求項5に記載の真のバ
イラテラルフィルターから高速近似バイラテラルフィルターを定義する方法。
【請求項８】
2011170852.tif 000017
【発明の詳細な説明】
【技術分野】
【０００１】
本発明はバイラテラルフィルターの分野に関する。より具体的に、近似バイラテラルフ
ィルターの分野に関わる。
【背景技術】
【０００２】
2011170852.tif 000003
【０００３】
例えば画像編集において、バイラテラルフィルターをエッジ保存平滑化フィルターとし
て用いることができる。他のフィルターは一般的に画像領域のみにおける重畳であるの対
し、バイラテラルフィルターは画像の範囲領域、すなわちピクセル値に作用することがで
きる。ガウスフィルターの場合のようにあるピクセルの値を単にその近傍の加重平均で置
き換えるのではなく、バイラテラルフィルターはピクセルの値を空間および範囲（ピクセ
ル値）双方においてその近傍の加重平均で置き換えることができる。これは不連続にわた
るピクセルを体系的に考慮から排除することにより鮮明なエッジを保存することができる
。
【先行技術文献】
【特許文献】
【０００４】
【特許文献１】米国特許第７３５２９１１号明細書
【発明の概要】
【発明が解決しようとする課題】
【０００５】
しかしバイラテラルフィルターの不都合な点は、複数のフィルターの融合を必要とする
ため、より資源集約的になりがちで処理がより長くかかる。近似バイラテラルフィルター
、ABLF、は通常別個対処する必要のあるエラーの導入を犠牲に処理時間を短縮するために
開発された。
本発明の目的の1つは処理速度を一層速めることのできる高速近似バイラテラルフィル
ター、FABLフィルター、を提供することである。
本発明のさらなる目的は最終結果の画像に悪影響を与えることなく導入エラーを無視で
きる高速近似バイラテラルフィルターを提供することである。
【課題を解決するための手段】
【０００６】
2011170852.tif 000004
【０００７】
2011170852.tif 000005
【図面の簡単な説明】
【０００８】
【図１】本発明において高速近似バイラテラルフィルターを構築する好ましい方法を示す図である。
【図２．ａ】全面的なバイラテラルフィルターを画像に適用した結果を示す図である。
【図２．ｂ】本発明の好ましい高速近似バイラテラルフィルターを図2．aに用いられたのと同じ画像に、σr2＝０．１，σs2＝１，ｒ＝２１をパラメーターとして適用した結果を示す図である。
【図３】グレースケールを用いて図2．a の画像と図2．b の画像との間の強度差を示す図である。
【図４】全面的なBLフィルターに比べ本高速近似BL フィルターにより達成される時間節約を示す図である。
【図５】中心点iの周囲の近傍を示す図である。
【発明を実施するための形態】
【０００９】
バイラテラルフィルターは2つの領域から情報を組み合わせる必要があるため他のフィ
ルターにくらべより時間を要する可能性がある。バイラテラルフィルターの処理速度を上
げる努力により近似バイラテラルフィルター（ABLF）がもたらされ、これは通常基本的な
バイラテラルフィルター（BLF）よりはるかに速い。本発明は新規の高速近似バイラテラ
ルフィルターを提供する。
【００１０】
2011170852.tif 000006
【００１１】
2011170852.tif 000007
【００１２】
2011170852.tif 000008
【００１３】
2011170852.tif 000009
【００１４】
2011170852.tif 000010
【００１５】
2011170852.tif 000011
【００１６】
発明はいくつかの具体的な実施形態に関連して説明されたが、当業者には多数の代替、
修正、および変形が前述の説明に照らし明らかであることが明白である。従って、本明細
書に説明される発明は添付クレームの精神および範囲内に入るこのような代替、修正、用
途、および変形すべてを包括することが意図される。
【符号の説明】
【００１７】
１１…線、１３…線。
【図１】
2011170852.tif 000018
【図５】
2011170852.tif 000019
【図２．ａ】
2011170852.tif 000020
【図２．ｂ】
2011170852.tif 000021
【図３】
2011170852.tif 000022
【図４】
2011170852.tif 000023
(57)【要約】【課題】従来のレーザー光線反射鏡はポリゴンミラー、ガルバノメータ、静電駆動ミラー等があり、近年ではディスクリート、コイル、磁石、ジンバルを用いた駆動ミラーと、発展して来たが、駆動力、生産性（歩留り）、耐久性、振動特性に問題があった。これは、ピポット／スクリューを一括してゴム系ポッテングをしてしまった為の影響であり同時に駆動力が弱いのもヨークを採用しない為であった。【解決手段】その方策としてヨークを確実に４個取り付ける構造と、ピボット、ゴム板、ピボットスクリュウを別々に設けスクリュウネジを回す構造にした事により、駆動力の向上と、振動特性の向上が計られた。と共に回転角を制御する事により耐久性、生産性が向上した。【選択図】図６
2011170304.tif 000002
【特許請求の範囲】
【請求項１】
ゴム板ストッパーをゴム押板により押し付ける構造をとる事により簡単に位置調整が行え、微調整にも耐えうる構造。
【請求項２】
ヨークを４個取り付ける事により駆動力の向上が計られる構造。
【請求項３】
ピボット、ゴム板、ピボットスクリュウを別々に設け、スクリュウネジを回す事により振動特性の向上が計られる構造。
【請求項４】
回転角を制御する事により、耐久性、生産性が計れる構造。
【発明の詳細な説明】
【技術分野】
【０００１】本発明は入射レーザ光線を高速で反射しＸ，Ｙ面内の任意の方向に送光する事が出来る小型軽量なアクチュエータに関する。
【背景技術】
【０００２】従来のレーザ光線反射鏡はポリゴンミラー、ガルバノメータ等で行われ、近年はＭＥＭＳ技術が発達しシリコン基板のエッチングによりＸ，Ｙジンバルを用いた静電駆動型駆動ミラーも出現している。
さらには、デスクリートなコイル、磁石、ジンバルを用いた駆動ミラー（特許文献参照）等も実用化されている。
【先行技術文献】
【特許文献】
【０００３】
【特許文献１】▲１▼特願２００４−０５６７６９「光検出装置及びこれを用いた光検出システム」独立行政法人  情報通信研究機構
【特許文献２】▲２▼特願２００４−２７７０２７「空間光通信装置」独立行政法人  情報通信研究機構
【参考文献１】
独立行政法人  情報通信研究機構  整理番号０６−０４
「空間光通信送受信用モジュール追尾制御に関するノウハウ」
【発明の概要】
【発明が解決しようとする課題】
【０００４】しかしながら、既存の駆動ミラーには、周波数特性は良いが、駆動電力が大きい割には駆動制動力が弱い。過大電力を入れると機構的に損傷する。
製造段階で性能が決定してしまう為、完成してから性能を検証しても修理が出来ない構造である。
【課題を解決するための手段】
【０００５】そこで、この発明は、これらの欠点を解決しようとする物で、駆動制動力を強く、性能の修正や、損傷が無い構造を実現する事を目的としている。【０００６】上記目的を達成する為に、磁気回路の強化、支持部のアジャスト化、回転モーメントのバランス化、回転範囲の制限化を行なった物である。
【発明を実施する為の形態】
【０００７】磁気回路の強化には、磁石とヨークを組み合わせた磁気回路を４個作成し、Ｘ方向、Ｙ方向駆動別に２個づつ設け、コイル電流による起動力を高める構造とした。
【０００８】従来の支持部はピポットと支持部をシリコンゴムでポッテングした状態で駆動している。この状態ではシリコンゴムの量、硬さ、形状により振動特性が異なってくる。これを解決する為にシリコンゴムとピボット、スクリュウネジにより挟み込み、そのネジを回す事により振動特性を変更できる構造を取る。
【０００９】反射面と非反射面とを完全点対称とする事により、地球重力の影響を除き設置方向に無関係な構造とした。
【００１０】従来の構造は、反射板が回転しようとした時、反射板にストッパーが無い為コイルがぶつかるまで回転しコイル損傷、ポッテング損傷し正常な動作が得られなくなっているが、本提案の回転体制限をつける事で良好な動作状態を維持できる。
【図面の簡単な説明】
【００１１】
【図１】図１は、Ｘ，Ｙ高速駆動ミラーユニットのＸ断面図である。
【図２】図２は、Ｘ，Ｙ高速駆動ミラーユニットのＸ通電図である。
【図３】図３は、Ｘ，Ｙ高速駆動ミラーユニットのＹ断面図である。
【図４】図４は、Ｘ，Ｙ高速駆動ミラーユニットのＹ通電図である。
【図５】図５は、Ｘ，Ｙ高速駆動ミラーユニットのＸ、Ｙ断面図である。
【図６】図６は、Ｘ，Ｙ高速駆動ミラーユニットのゴム板の取付時の参考寸法図である。
【符号の説明】１・・・・・反射板（５×５ｍ／ｍ）□
２・・・・・ゴム板ストッパー
３・・・・・ゴム押板
４・・・・・Ｘコイル
５・・・・・Ｘコイルヨーク（２個）
６・・・・・Ｘコイル用磁石（２個）
７・・・・・コイル受け基板併用ピボット板
８・・・・・ピボットスクリュウネジ
９・・・・・Ｘ、Ｙジンバル併用通電電極
【図１】
2011170304.tif 000003
【図２】
2011170304.tif 000004
【図３】
2011170304.tif 000005
【図４】
2011170304.tif 000006
【図５】
2011170304.tif 000007
【図６】
2011170304.tif 000008
(57)【要約】      （修正有）【課題】関係書類、筆記具をパソコンキーボード下部に配置し、パソコンキーボード占有面積を縮小して拡大鏡の使用、癒し効果をだす。【解決手段】既存、新造キーボード１、下部に脚内筆記具収納部６、を設けた固定式、折りたたみ式、又は跳ね出し式の木材、段ボール、アルミ、合成樹脂性の４箇所の脚２、を取り付穴３、又は接着剤で増設し、下部に空間を形成する構造。又はキーボードとモニター台一体に、下部空間を形成する構造。又はキーボード上部にガード棒４、を設ける構造。又はキーボード手前側に凸レンズ版５を設ける構造。又は木材で脚を作る場合ヒノキ等の匂いの癒し効果のある材料で作る。【選択図】図１
2011170467.tif 000002
【特許請求の範囲】
【請求項１】
既存、新規パソコンキーボード下部に木材、段ボール、アルミ、合成樹脂性等の固定式、折りたたみ式の跳ね出し式脚、又は脚内に筆記具収納部を設けた箱型台を付加し、下部空間を形成する構造。
【請求項２】
キーボードとモニター台一体に、下部空間を形成する構造。
【請求項３】
キーボード上部にガード棒を設ける構造。
【請求項４】
キーボード手前側に凸レンズ版を設ける構造。
【請求項５】
木材で作る場合ヒノキ等の癒し効果のある材料で作る構造。
【発明の詳細な説明】
【技術分野】
【０００１】
本発明は、パソコンキーボードの整理、利用促進に関するものである。          
【背景技術】
【０００２】
パソコンキーボードはパソコンを使用するに重要な外付け器機である、現在のキーボードも下部に跳ね出し脚はあるがキーボードを斜めにする為の物である。
【０００３】
しかし、パソコンを操作中は、ボードキーに物品が触ってもエラーを起こす重要な場所であり、一定の平面積を必用とするが、鉛直方向には数ｃｍ厚程度が必要とされるだけで、不要に面積を占拠しており関連書類を広げるのも不自然になり、関係書類の字が小さい場合は読みづらい。
【０００４】
この改善策として、キーボード下部に後付又は当初から脚を付加し立体構造とする事により書類置き場を増加する。
【特許文献１】特許公表２００４−５１３４４１５
【非特許文献１】パソコンキーボードの改良（インターネット）
【発明の開示】
【発明が解決しようとする課題】
【０００５】
課題１
キーボードは必要以上に面積を占拠しており関係書類も置くことが出来ない。
課題２
キーボード上部から関係書類が触れることも出来ない。
課題３
関係書類の字が小さい場合読みづらい。
課題４
キーの機能性しかない。
【課題を解決するための手段】
【０００６】
手段、１
既存のキーボード及び新造キーボードの改善のためにキーボード下部に空間を作るために脚内に筆記具収納部を設けた脚を設ける。
【０００７】
手段、２
キーボード上部にガード棒を設ける。
【０００８】
手段、３
キーボード手前側に凸レンズ版を設ける。
【０００９】
手段、４
木材で作る場合ヒノキ等の癒し効果のある材料で作る。
【発明の効果】
【００１０】
効果、１
本発明の効果は、キー操作の邪魔をせず、キーボード下部に書類、筆記具が収納出来る。
【００１１】
効果、２
キーボード上部から書類の接触を防ぎ関系書類をキーボード上部にも配置出来る。
【００１２】
効果、３
小さい字の書類も拡大鏡を自然に使用できる。
【００１３】
効果、４
ヒノキ等で作る場合、匂いの癒し効果も出る。
【実施例】
【００１４】
実施例、１
既存、新造キーボード１、下部に脚内筆記具収納部６、を設けた固定式、折りたたみ式、又は跳ね出し式の木材、段ボール、アルミ、合成樹脂性の４箇所の脚２、を取り付穴３、又は接着剤で増設し、下部に空間を形成する。
【００１５】
実施例、２
キーボード上部にガード棒４、を設ける。
【００１６】
実施例、３
キーボード２、手前側に取付穴３、又は接着剤で凸レンズ版５、を設ける。
【００１７】
実施例、４
木材で作る場合ヒノキ等の匂いの癒     し効果のある材料で作る。
【産業上の利用可能性】
【００１８】
パソコンキーボードの利用に関するものであり、関係書類、筆記具を下部に配置出来、パソコンキーボード占有体積を縮小し、拡大鏡の使用、癒し効果もだせる。
【図面の簡単な説明】
【００１９】
【図１】正面図
【図２】平面図
【図３】側面図
【符号の説明】
【００２０】
１    一般キーボード
２    脚
３    取り付穴
４    ガード棒
５    透明凸レンズボード
６    筆記具収納部
【図１】
2011170467.tif 000003
【図２】
2011170467.tif 000004
【図３】
2011170467.tif 000005
(57)【要約】【課題】従来の設備では、有線接続における通信で行っていた為、デバッグする時に機械の側に寄れず機械動作を十分確認出来ずないといった問題点や、ＰＣを別のＰＬＣに接続する時は、有線を接続変えする必要があった。また、有線接続が困難な箇所に取り付けられたＰＬＣのダウンロードやアップロード又は、モニタやデバッグが難しいといった解決すべき課題があった。【解決手段】ＰＣとＰＬＣ間を無線通信する事で、機械側でデバッグすることが出来、危険場所のＰＬＣに対しても安全・円滑にアクセス可能となる。【選択図】図１
2011170529.tif 000002
【特許請求の範囲】
【請求項１】
パーソナル・コンピュータ(以下ＰＣと言う)にて作成したシーケンス・ラダーをプログラマブル・ロジック・コントローラ(以下ＰＬＣと言う)にダウンロードやアップロードまたは、モニタやデバッグして、機械動作の制御を実行する装置において、前記ダウンロードやアップロードまたは、モニタやデバッグを無線通信にて行うことを特徴とするＰＣによるＰＬＣプログラミングツール。
【発明の詳細な説明】
【技術分野】
【０００１】
本発明は、機械動作制御プログラムのダウンロードやアップロード又は、モニタやデバッグを無線通信にて行うことを特徴とした、ＰＬＣプログラミングツールに関するものである。
【背景技術】
【０００２】
従来の設備では、パーソナル・コンピュータ(以下ＰＣと言う)にて作成したシーケンス・ラダーをプログラマブル・ロジック・コントローラ(以下ＰＬＣと言う)にダウンロードやアップロードまたは、モニタやデバッグをして、機械動作の制御を実行する装置において、前記ダウンロードやアップロードまたは、モニタやデバッグは有線接続における通信で行っていた。
【先行技術文献】
【特許文献】
【０００３】
【特許文献１】特開平５−１３４７１６号公報
【発明の概要】
【発明が解決しようとする課題】
【０００４】
従来の設備では、有線接続における通信で行っていた為、デバッグする時に機械の側に寄ることができない場合機械動作を十分確認出来ないといった問題点や、ＰＣを別のＰＬＣに接続する時は有線の接続変えをする必要があった。また、有線接続が困難な箇所に取り付けられたＰＬＣのダウンロードやアップロード又は、モニタやデバッグが難しいといった解決すべき課題があった。
【課題を解決するための手段】
【０００５】
請求項１の発明によれば、パーソナル・コンピュータ(ＰＣ)にて作成したシーケンス・ラダーをプログラマブル・ロジック・コントローラ(ＰＬＣ)にダウンロードやアップロードまたは、モニタやデバッグして、機械動作の制御を実行する装置において、前記ダウンロードやアップロードまたは、モニタやデバッグを無線通信にて行うことを特徴とするＰＣによるＰＬＣプログラミングツール。
【０００６】
本発明は、最近の無線通信機能を持ったモバイルＰＣを用い、ＰＬＣの側に無線ルータを設置し、モバイルＰＣからの無線通信でダウンロードやアップロード又は、モニタやデバッグを行うものである。
【発明の効果】
【０００７】
本発明は、以下のような作用効果を有する。
１  機械の動作をつぶさに確認しながら、デバッグを行うことが出来ることから、安全性・確実性ならびに迅速性が担保される。
２  接続変えは、無線チャネルの切り替えで事足りるので迅速性・確実性が担保される。
３  足場の悪い所や、高所に取り付けられたＰＬＣに対しても、安全で確実な接続が可能となる。
【図面の簡単な説明】
【０００８】
【図１】本発明の構成図
【図２】従来用いられていたシステムの構成図
【発明を実施するための形態】
【０００９】
以下、本発明の実施形態を図１に基づいて説明する。
【００１０】
図１に本発明の実施例を示す。
本発明の実施例においては、モバイルＰＣの無線通信機能を用い、ＰＬＣの側に設置した無線ルータと信号を授受してダウンロードやアップロード又は、モニタやデバッグを行う。
【００１１】
図２は従来用いられていたシステムである。
ＰＣにて作成したプログラムを有線でダウンロードやアップロード又は、モニタやデバッグを行う為、機械の側や、ＰＬＣが、人の近寄りがたい場所に設置されると当該目的動作を完了するために非常な困難を伴っていた。
【産業上の利用可能性】
【００１２】
ＰＣとＰＬＣ間を無線通信する事で、機械側でデバッグすることが出来、危険場所に設置されたＰＬＣに対しても安全・円滑にアクセスすることが可能となる。
【符号の説明】
【００１３】
１   ＰＣ
２   無線ルータ
３   ＰＬＣ
【図１】
2011170529.tif 000003
【図２】
2011170529.tif 000004
(57)【要約】      （修正有）【課題】電磁波ノイズの発生しないＬＥＤ照明灯を提供する。【解決手段】直流安定化電源を使用して一定の電流を流す。ＶＡ−ＶＢ間に電圧を供給するとＭＯＳ−ＦＥＴのベースに電圧がかかり、回路がＯＮになってＬＥＤに電流が流れる。流れる電流が定格電流を超えるとＭＯＳ−ＦＥＴのベース電圧がゼロになって、ＬＥＤに流れなくなる。これを繰り返されることにより、定電流動作を行う。直流安定化電源を使用することによりＬＥＤ照明灯からの電磁波ノイズを発生することはない。【選択図】図１
2011034940.tif 000002
【特許請求の範囲】
【請求項１】
電磁波ノイズを発生させないＬＥＤ照明灯
【発明の詳細な説明】
【技術分野】
【０００１】本発明はＭＯＳ−ＦＥＴ直流安定化電源で駆動された無電磁波雑音ＬＥＤ照明灯。
【背景技術】
【０００２】近年、地球温暖化防止と大気汚染防止は緊急の課題であると指摘されている。
各国で発生する温室効果ガスが温暖化の最大の原因とされている。そこでわが国も京都議定書の２００２年発効以来、国策として取り組んでいるのが温室効果ガスの削減目標を２００８年〜１２年の期間で６％削減の達成するよう推進してきた。
その処方箋の一つとしてＬＥＤ照明灯を使用することによる消費電力の大幅削減である。結果として二酸化炭素削減に繋がることになり、地球温暖化に貢献できる。既存のＬＥＤ照明灯の中にインバーター方式を採用しているため、電磁波雑音を発生させている。このことは従来蛍光灯内部に注入されている水銀汚染の他に、もう一つの大気汚染として指摘されている。この電磁波雑音は精密医療機器や心臓の悪い人が装着しているペースメーカに悪い影響を与えるおそれがあると指摘されている。そこで、本発明は、ＭＯＳ−ＦＥＴを使用した直流安定化電源によって、電磁波雑音の発生しないＬＥＤ照明灯を開発することを目的とした。
【発明の開示】
【発明を解決しようとする課題】
【０００３】昨今の蛍光灯及びＬＥＤ照明灯の主力点灯方式はインバーター方式である。しかし、この方式は電磁雑音を発生するのが最大の欠点である。国内においてはどのメーカーも国際規格ＣＩＳＰＲ１５に準拠して製造している。しかし、全帯域において電磁波雑音はゼロではない。またＬＥＤ照明灯を長寿命点灯させるには一定の電流を流すことが要求される。流れる電流の最大値を超えると損傷する。寿命は短かくなる。逆に電流がすくないとＬＥＤの特性が生かされない。これらのことが問題である。
【問題を解決するための手段】
【０００４】一定の電流を流すため図１の直流安定化電源を使用する。図１のＶＡ−ＶＢ間に電圧を供給するとＭＯＳ−ＦＥＴのベースに電圧がかかり、回路がＯＮになってＬＥＤに電流が流れる。流れる電流が定格電流を超えるとＭＯＳ−ＦＥＴのベース電圧がゼロになって、ＬＥＤに流れなくなる。これを繰り返されることにより、定電流動作を行う。
【発明の効果】
この直流定電流回路を使用することにより安定した電流を流すことができ、ＬＥＤの延命効果を期待することができる。インダクションコイルなど集中常数部品を使用しないので電磁波ノイズを発生することはない。
【０００５】
【発明を実施するための最良の形態】
【０００６】図１は本発明の一実施形態を示す。図２は電流対電圧の特性。図３は温度補償特性を示す。
【産業上の利用可能】
【０００７】超高層ビル、地下鉄、上下水道、ＪＲ、小学校、中学校、高校、公共施設。
【図面の簡単な説明】
【０００８】
【図１】無電磁波ノイズ直流安定化電源回路
【図２】供給電圧対出力電流
【図３】供給電圧対温度補償特性
【図１】
2011034940.tif 000003
【図２】
2011034940.tif 000004
【図３】
2011034940.tif 000005
(57)【要約】【課題】２個の昇圧コイルをプラスイオン用の電極とマイナスイオン用の電極とに各々独立して接続すると、両昇圧トランスの１次コイルに流れる電流値を同じにするために、両１次コイルを直列に接続しなければならない。ところが、各昇圧トランスの設置された環境等によって、各昇圧トランスの１次コイルのインダクタンスおよび直流抵抗分が相違して分圧される電圧値が同一にならないため、プラスイオンの発生量とマイナスイオンの発生量とが相違する。【解決手段】１個の１次コイルと１個の２次コイルとからなる２個の昇圧トランスを、各々の２次コイルが各放電電極に節されるように設けると共に、各１次コイルを並列に接続し、かつ、各１次コイルに各々別個に、１次コイルに電力を供給するコンデンサを接続し、各コンデンサに共通した１個の電源供給部から交流電力を供給するようにした。【選択図】  図１
2011034912.tif 000002
【特許請求の範囲】
【請求項１】
プラスイオンを発生させる放電電極とマイナスイオンを発生させる放電電極とを各々別個に備えたイオン発生装置において、１個の１次コイルと１個の２次コイルとからなる２個の昇圧トランスを、各々の２次コイルが各放電電極に節されるように設けると共に、各１次コイルを並列に接続し、かつ、各１次コイルに各々別個に、１次コイルに電力を供給するコンデンサを接続し、各コンデンサに共通した１個の電源供給部から交流電力を供給するようにしたことを特徴とするイオン発生装置。
【発明の詳細な説明】
【技術分野】
【０００１】
本発明は、空気中にプラスイオンおよびマイナスイオンを発生させるためのイオン発生装置に関する。
【背景技術】
【０００２】
１対の電極を相互に対向させ両電極間に高電圧を印加すると両電極間にコロナ放電が発生する。このコロナ放電が発生すると空気中の酸素分子が電離し、プラスイオンであるオゾンやマイナスイオンが発生する。
【０００３】
マイナスイオンは緊張を取り除きリラックスさせる効果があり、オゾンは強い酸化性を有するため空気中の異臭物質やバクテリアを無効化する効果がある。また、マイナスイオンとプラスイオンとを同量発生させると、両イオンが空気中で塊となりクラスターイオンを形成することが知られている。このクラスターイオンが形成される際にバクテリアや微細な埃を両イオンが取り囲みクラスターイオンの内部に閉じ込めることが明らかになってきた。
【０００４】
このようなプラスイオンとマイナスイオンとを同じように多量に発生させるため、プラスイオン用の電極とマイナスイオン用の電極とを別個に設けると共に、１個の１次コイルに対して２個の２次コイルを巻回した昇圧トランスを設けて、各２次コイルを各々プラスイオン用の電極とマイナスイオン用の電極とに接続したものが知られている（例えば、特許文献１参照）。
【先行技術文献】
【特許文献】
【０００５】
【特許文献１】特開２００４−３６３０８８号公報（図５）
【発明の概要】
【発明が解決しようとする課題】
【０００６】
さらに多量のプラスイオンとマイナスイオンとを発生させるためには、昇圧コイル自体を２個に分割して、プラスイオン用の電極とマイナスイオン用の電極とに各々独立した昇圧トランスを接続することが考えられる。このような構成では、両昇圧トランスの１次コイルに流れる電流値を同じにするために、両１次コイルを直列に接続しなければならない。ところが、各昇圧トランスの設置された環境、例えば１次コイルの近傍に磁性体が存在するか否か等によって、各昇圧トランスの１次コイルのインダクタンスおよび直流抵抗分が相違して分圧される電圧値が同一にならなくなる。すると、各２次コイルに誘導される２次電圧も同一とはならず、その結果、プラスイオンの発生量とマイナスイオンの発生量とが相違するという不都合が生じる。
【０００７】
そこで本発明は、上記の問題点に鑑み、２個の昇圧路ランスを用いてもプラスイオンの発生量とマイナスイオンの発生量とが相違しにくいイオン発生装置を提供することを課題とする。
【課題を解決するための手段】
【０００８】
上記課題を解決するために本発明によるイオン発生装置は、プラスイオンを発生させる放電電極とマイナスイオンを発生させる放電電極とを各々別個に備えたイオン発生装置において、１個の１次コイルと１個の２次コイルとからなる２個の昇圧トランスを、各々の２次コイルが各放電電極に節されるように設けると共に、各１次コイルを並列に接続し、かつ、各１次コイルに各々別個に、１次コイルに電力を供給するコンデンサを接続し、各コンデンサに共通した１個の電源供給部から交流電力を供給するようにしたことを特徴とする。
【０００９】
共通の電源から各コンデンサに電力が供給されるので、両１次コイルにはほぼ同じ電圧の１次電圧が印加される。そのため、各２次コイルに誘導される２次電圧に電圧値は、各昇圧トランスの設置環境の影響を受けることなくほぼ同じ値になる。
【発明の効果】
【００１０】
以上の説明から明らかなように、本発明は、プラスイオン発生用の放電電極とマイナスイオン発生用の放電電極とに同じ電圧値の電力を安定して供給することができるので、プラスイオンの発生量とマイナスイオンの発生量とを等しく、かつ大量に発生させることができる。
【図面の簡単な説明】
【００１１】
【図１】本発明の一実施の形態の構成を示す図
【発明を実施するための形態】
【００１２】
図１を参照して、１は直流電源が供給される電力供給用の端子である。この端子１から供給された直流電源は交流発生部２で交流電源に変換されると共に所定の電圧値まで昇圧されて、２端子サイリスタ３に供給される。そして、この１個の２端子サイリスタ３を介して２個のコンデンサ６，７に充電される。
【００１３】
各コンデンサ６，７には２個の昇圧トランス４，５の各１次コイル４１，５１が接続されており、各コンデンサ６，７に充電された電荷は各々１次コイル４１，５１に供給される。
【００１４】
すると、各２次コイル４２，５２には各々同じ電圧値であって高圧の２次電力が誘導される。各２次コイル４２，５２には、プラスイオン発生用の放電電極８とマイナスイオン発生用の放電電極９とが接続されており、２次コイル４２，５２に２次電力が誘導されると各放電電極８，９のギャップ間に高電圧が印加されて放電が発生し、プラスイオンとマイナスイオンとが各々同量ずつ発生することになる。
【００１５】
なお、本発明は上記した形態に限定されるものではなく、本発明の要旨を逸脱しない範囲内において種々の変更を加えてもかまわない。
【符号の説明】
【００１６】
３  ２端子サイリスタ
４，５  昇圧トランス
６，７  コンデンサ
【図１】
2011034912.tif 000003
(57)【要約】【課題】  コンセントにプラグ本体を差し込むと同時に自動的に電極体の埃防止ができる防塵具付き電気プラグを提供する。【解決手段】  プラグ本体先端部の電極部に扇状からなる、厚さ１ｍｍのシリコーンゴムシートを、プラグ先端部よりコンセントに向け、８ｍｍを前提とした防塵具を要し、プラグ全体に巻き付ける。前記表面上に巻き戻る防止策として、扇状粘着性シリコーンゴムシート厚さ０．５ｍｍを巻いて粘着固定するように設け、更に、プラグのつまみ部に隣接する凹部に、ずれを防止するため、輪ゴムを巻き締めつけることを特徴とする防塵具付き電気プラグ。【選択図】図１
2011034941.tif 000002
【特許請求の範囲】
【請求項１】
プラグ本体先端部の電極部に扇状からなる、厚さ１ｍｍのシリコーンゴムシートを、プラグ先端部よりコンセントに向け、８ｍｍを前提とした防塵具を要し、プラグ全体に巻き付ける。前記表面上に巻き戻る防止策として、扇状粘着性シリコーンゴムシート厚さ０．５ｍｍを巻いて粘着固定するように設け、更に、プラグのつまみ部に隣接する凹部に、ずれを防止するため、輪ゴムを巻き締めつけることを特徴とする防塵具付き電気プラグ。
【発明の詳細な説明】
【技術分野】
【０００１】  本発明は、コンセントにプラグ本体を差し込むと同時に自動的に電極の埃防止ができる防塵具付き電気プラグに関する。
【背景技術】
【０００２】  従来の電気コードプラグは、コンセントの奥まで深く差し込んだり取り外したりする手間が煩わしく、手や肩が疲れたりして、コンセントに半ば差し込み電極露出のまま使用されていた。
例として、濡れた手でプラグに触れないこと、プラグに水をかけないこと、露出部分を良く掃除する等の警告がなされていた。
【発明の概要】
【発明が解決しようとする課題】
【０００３】  そのために次のような問題点があった。
（イ）コンセントとプラグの密着が固くきついために、電極を半ば露出して電流作動させていたが、近来のテレビ放映によるとプラグ電極体に、大量の埃が付着している家庭が多く、これが原因で、ショートによるボヤ、火災の発生率は全国で相当数に達していることが報じられていた。
（ロ）また上記実験放映によると、露出電極体二点に付着した積塵に湿気が浸透することにより、ショートして即座に器具に燃え移ることが見られた。また、プラグぼやが最も多いとされている。
本発明は、このような従来の構成が有していた問題を解決しようとするものであり、コンセントとプラグ間を接触半ばにしても、効果的に電極露出部に埃の付着しない安定的防塵具付き電気プラグ本体を実現することを目的とするものである。
【問題を解決するための手段】
【０００４】  そして、本発明は上記目的を達成するために、プラグ本体先端部の電極部に扇状からなる、厚さ１ｍｍのシリコーンゴムシートを、プラグ先端部よりコンセントに向け、８ｍｍを前提とした防塵具を要し、プラグ全体に巻き付ける。前記表面上に巻き戻る防止策として、扇状粘着性シリコーンゴムシート厚さ０．５ｍｍを巻いて粘着固定するように設け、更に、プラグのつまみ部に隣接する凹部に、ずれを防止するため、輪ゴムを巻き締めつけることを特徴とする防塵具付き電気プラグである。
【発明の効果】
【０００５】  防塵具に密閉された、プラグ本体の電極部をコンセントからの抜き差しにおいて、力を入れることなく簡単に操作でき、半ば差し込み使用が自在となり、使用後の始末に気遣いすることのない安全性の高い火災防止に効果ある自動的防塵の電気プラグを提供できる。
【図面の簡単な説明】
【０００６】
【図１】本発明の防麈具プラグの一部縦断側面図
【図２】本発明の斜視図
【図３】本発明の斜視図
【図４】本発明の実施形態を示す部分断面図
【発明を実施するための形態】
【０００７】  以下、本発明の実施の形態を図１〜図４に書いて説明する。
（イ）プラグ本体（１）と電極二点（２ａ）までを電気絶縁のシリコーンゴムシート（４）で巻き、設けている。但し、シリコーンゴムシート（４）は、プラグ先端部より８ｍｍまで出すことに限定されている。
（ロ）さらに、シリコーンゴムシート（４）の巻き戻り防止策として、表面上に粘着性シリコーンゴムシート（６）を、シリコーンゴムシート（４）より２ｍｍ出し、巻いて固着する。
（ハ）プラグ本体（１）の下部にある凹部は、ずれ防止として、輪ゴム（６）を固く巻いて設けているものである。
本発明は、以上の構成により成り立っている。
本発明を使用するときは、上記プラグ本体（１）の先端部に突きでた、二点の電極（２ａ）に付着する埃防止を目的とするものである。
プラグ（１）と電極部を扇状厚さ１ｍｍのシリコーンゴムシート（４）をプラグ先端部より電極露出部（２ａ）までを、８ｍｍと規定し、１回巻きとしているので巻き戻る止めとし、扇状粘着性厚さ０．５ｍｍのシリコーンゴムシート（５）２ｍｍを前方に出し、前記シート（４）巻きの表面上に巻くことにより、この結果、巻き戻ることなく、完全に固着されている。
また、２ｍｍを余分に出した粘着性シリコーンゴム（５）により、不完全差しこみでは、自動的に電源がカットされ、コンセントから抜け落ちる構造になっているので、これを正常に強く差しこむことにより、電流が流れ、安全性の高いプラグにより、火災防止の効果を発揮することができるのである。
【符号の説明】
【０００８】１    防塵具付きプラグ
２    電極
２ａ  露出部
３    コード
４    シリコーンゴムシート
５    粘着性シリコーンゴムシート
５ａ  透間防止部
６    輪ゴム
７    コンセント
８    積塵
９    壁
【図１】
2011034941.tif 000003
【図２】
2011034941.tif 000004
【図３】
2011034941.tif 000005
【図４】
2011034941.tif 000006
(57)【要約】【課題】電池の老化遅延方法。【解決手段】本電池の老化遅延方法において、電池は充電システム内に設置され、この方法は、充電システムが充電中の電池の温度が設定温度まで上昇したか否かを検出し、充電中の電池の温度が設定温度まで上昇したことを検出すると、充電システムが自身の充電電圧と充電電流を調節して一定の下降率で下げる。本電池の老化遅延方法は充電システムにより電池の温度を自動検出し、温度により充電電流及び充電電圧を調整し、これにより電池の老化遅延を実現し、これにより簡単操作と低コストを達成する。【選択図】なし【特許請求の範囲】
【請求項１】
電池の老化遅延方法において、該電池は充電システム内に設置され、この方法は、
該充電システムにより充電中の電池の温度が設定温度まで上昇したか否かを検出するステップ、
充電中の電池の温度が設定温度まで上昇したことを検出すると、該充電システムが自身の充電電圧と充電電流を調節して一定の下降率で下げるステップ、
を包含することを特徴とする、電池の老化遅延方法。
【請求項２】
請求項１記載の電池の老化遅延方法において、該電池はリチウム電池とされることを特徴とする、電池の老化遅延方法。
【発明の詳細な説明】
【技術分野】
【０００１】
本発明は一種の電池技術に係り、特に一種の電池の老化遅延方法に関する。
【背景技術】
【０００２】
リチウム電池等の充電できる電池は日常生活中で広く応用されている。このような電池はある期間使用すると、老化の問題が出現し、これにより使用者に使用上の不便をもたらす。
【０００３】
上述の問題を解決するため、例えば特許文献１にリチウム電池の老化遅延方法が開示され、それは、老化したリチウム電池を吸水紙とプラスチックフィルムで密封包装し、次に、密封包装したリチウム電池をフリーザーに入れ、零下１８°で４０〜５６時間冷し、最後に密封包装したリチウム電池を取りだし、常温環境下で４０〜５６時間放置する、というもので、これにより電池の老化を遅らせる。
【先行技術文献】
【特許文献】
【０００４】
【特許文献１】中国特許出願第２００７１０１１３８４６号明細書
【発明の概要】
【発明が解決しようとする課題】
【０００５】
しかし、上述のリチウム電池の老化遅延方法は複雑で、コストがかかる。
本発明の主要な目的は、上述の周知の技術に存在する欠点に対して、操作が簡単で低コストの電池の老化遅延方法を提供することにある。
【課題を解決するための手段】
【０００６】
上述の目的を達成するため、本発明は一種の電池の老化遅延方法を提供し、この方法は充電システムに設置した電池に適用され、この方法は、充電システムにより充電中の電池の温度が設定温度まで上昇したか否かを検出し、充電中の電池の温度が設定温度まで上昇したことを検出すると、充電システムが自身の充電電圧と充電電流を調節して一定の下降率で下げる。
【発明の効果】
【０００７】
本電池の老化遅延方法は充電システムにより電池の温度を自動検出し、温度により充電電流及び充電電圧を調整し、これにより電池の老化遅延を実現し、これにより簡単操作と低コストを達成する。
【発明を実施するための形態】
【０００８】
本発明の電池の老化遅延方法において、電池は充電システム内に置かれて充電され、本実施例中、電池はリチウム電池とされる。本発明の方法は、以下のステップを包含し、まず、充電システムが充電中の電池の温度が設定温度、例えば摂氏Ｔ度まで上昇したか否かを検出し、充電中の電池の温度が設定温度まで上昇したことを検出すると、充電システムが自身の充電電圧と充電電流を調節してそれぞれＮ及びＭの下降率で下げる。
【０００９】
ある実施例において、温度が摂氏Ｔ度まで上昇したことを検出した後に、充電システムが提供する充電電圧と充電電流の下降率はそれぞれ以下の表１のとおりである。
【００１０】
【表１】
2011034850.tif 000002
【００１１】
表１から分かるように、仮に充電システムが提供する基準充電電圧と充電電流がそれぞれＶ１ボルトとＩ１ミリアンペアであるとする。温度が摂氏Ｔ度まで上昇した後、充電システムが提供する充電電圧と充電電流をそれぞれＶボルトとＩミリアンペアに調整するとすると、
充電電圧Ｖ＝Ｖ１×（１−Ｎ）
充電電流Ｉ＝Ｉ１×（１−Ｍ）
となり、これにより、電池の老化を遅らせることができる。
【００１２】
総合すると、本電池の老化遅延方法は充電システムにより電池の温度を自動検出し、温度により充電電流及び充電電圧を調整し、これにより電池の老化遅延を実現し、これにより簡単操作と低コストを達成する。